(57)【要約】【課題】  電子機器内部の省スペース化を図ることにより、電子機器の設計上やデザイン上の自由度を拡げることができる電源瞬断保護装置、及び電子カメラ装置を提供する。【解決手段】  電池ボックスの蓋が開けられる等に起因した瞬断が発生し、電池からなる主電源１からの電流Ｉ１が遮断されたとき、ダイオード４３を開放スイッチとして働かせることにより、コンデンサ４１に蓄えられている電荷がダイオード４３を介して電流Ｉ３として後段のシステム系電源２及び駆動系電源３に供給し、電力の供給不良をバックアップさせる。主電源１の電圧を低飽和型シリーズレギュレータ４４によりコンデンサ４１の定格電圧以下の電圧にシフトさせ、その電圧でコンデンサ４１への充電を行わせる。主電源１の電圧よりも耐圧が低いコンデンサ４１の使用が可能となり、単一のコンデンサ４１によって瞬断発生時における供給電力の補償が可能となる。【選択図】      図１
2005185073.tif 000002
【特許請求の範囲】
【請求項１】
電池を主電源とする電子機器に設けられる電源瞬断保護装置であって、
前記主電源と並列に接続され、主電源の瞬断時における回路への供給電力を補償するバックアップ用のコンデンサと、
前記主電源の電圧を降下して前記コンデンサへ電荷を供給する降圧手段と
を備えたことを特徴とする電源瞬断保護装置。
【請求項２】
瞬断時に前記降圧手段を介することなく前記コンデンサから前記回路へ電力を供給する補償用の電力供給ラインが設けられたことを特徴とする請求項１記載の電源瞬断保護装置。
【請求項３】
電子機器における電力供給ラインが、機器全体の動作に不可欠な要素を含む主回路へ電力を供給する第１の供給ラインと、前記主回路以外への他の回路へ電力を供給する第２の供給ラインとに分離され、前記コンデンサ及び前記降圧手段が前記第１の供給ラインの側に配置されるとともに、第１の供給ラインから第２の供給ラインへの電流の逆流を阻止する逆流阻止手段が設けられたことを特徴とする請求項１又は２記載の電源瞬断保護装置。
【請求項４】
前記主電源の瞬断発生を電気的に検出する検出手段と、
この検出手段により瞬断発生が検出されることに伴い、前記主電源の瞬断発生に対処する所定の終了処理を行う制御手段と
を備えたことを特徴とする請求項１，２又は３記載の電源瞬断保護装置。
【請求項５】
前記主電源の瞬断発生を電気的に検出する検出手段と、
前記コンデンサから前記回路への電力供給経路を遮断するとともに、前記検出手段により瞬断発生が検出されることに伴い、前記電力供給経路を接続するスイッチ手段と
を備えたことを特徴とする請求項１，２又は３記載の電源瞬断保護装置。
【請求項６】
前記検出手段により瞬断発生が検出されることに伴い、電子機器に前記主電源の瞬断発生に対処する所定の終了動作を行わせる制御手段を備えたことを特徴とする請求項５記載の電源瞬断保護装置。
【請求項７】
前記コンデンサは、電子機器が有する時計回路の電池交換時のバックアップ電源を構成することを特徴とする請求項１乃至６いずれか記載の電源瞬断保護装置。
【請求項８】
前記コンデンサから前記回路への電力供給時間を所定時間に制限する制限手段を備えたことを特徴とする請求項７記載の電源瞬断保護装置。
【請求項９】
電池からなる主電源と、
被写体を撮像する撮像手段と、
この撮像手段により撮像された被写体像の画像データを記録する記録手段と、
前記主電源と並列に接続されるとともに、主電源の瞬断時における電力供給を行い前記記録手段へのデータの書込み動作を補償するバックアップ用のコンデンサと、
前記主電源の電圧を降下して前記コンデンサへ電荷を供給する降圧手段と
を備えたことを特徴とする電子カメラ装置。
【発明の詳細な説明】
【技術分野】
【０００１】
本発明は、例えばデジタルカメラ等に用いて好適な電源瞬断保護装置、及び電子カメラ装置に関するものである。
【背景技術】
【０００２】
従来、デジタルカメラ等、電池駆動の半導体メモリを有するパーソナル機器においては、一般的にサブマイコンにより電池電圧を監視しており、終止（安全動作下限）電圧を検出すると、メモリへのファイル書き込み等の終了処理を行った後、電源を切断することが行われている。また、ユーザーによる意図的な電源スイッチによるパワーオフ時についても、同様に予めメモリへのファイル書き込み等が行われている。
【０００３】
ところが、メモリへのファイル書き込みが行われている際に、電池ボックスの蓋が開けられたり、末期電池使用時の終止電圧付近で、重負荷がかかること（例えばデジタルカメラではレンズ駆動）に起因した瞬断等によって、システム電源が遮断されるとファイルが破壊され、特にＦＡＴ及び管理領域が破壊されると、再起動不可という致命的な状況が発生する。これは、アダプター駆動時に、その接続プラグが抜かれた場合も同様である。
【０００４】
これに関し、例えば下記の特許文献１には、主電源の電源電流が、遮断や消耗により主回路に供給されなくなった場合に、２次電池や大容量コンデンサの２つの素子で構成された予備電池から主回路に電源電流を供給する技術が記載されている。
【特許文献１】特開２０００−１３７５５３号公報
【発明の開示】
【発明が解決しようとする課題】
【０００５】
しかしながら、電源瞬断時におけるバックアップ電源として大容量のコンデンサを使用する場合において以下のような問題があった。
【０００６】
すなわちバックアップ用のコンデンサとしては大容量でかつ低ＥＳＲである電気二重層コンデンサが一般に用いられるが、その耐圧（定格電圧）は、小型のものでは、通常２．５Ｖである。そのため、係るコンデンサを、例えば電池２本を主電源として２．１Ｖ〜３．０Ｖの動作電圧範囲で駆動されるデジタルカメラにバックアップ用のコンデンサとして用いる場合には、容量的には１個で十分であるにもかかわらず、コンデンサを２個直列に接続した上で使用しなければならない。したがって、その場合にあっては、デジタルカメラの本体内に余分な配置スペース（高さ、面積）が必要となるため、設計上やデザイン上の自由度が阻害されるという問題があった。
【０００７】
本発明は、かかる従来の課題に鑑みてなされたものであり、電子機器内部の省スペース化を図ることにより、電子機器の設計上やデザイン上の自由度を拡げることができる電源瞬断保護装置、及び電子カメラ装置を提供することを目的とする。
【課題を解決するための手段】
【０００８】
前記課題を解決するため請求項１の発明にあっては、電池を主電源とする電子機器に設けられる電源瞬断保護装置であって、前記主電源と並列に接続され、主電源の瞬断時における回路への供給電力を補償するバックアップ用のコンデンサと、前記主電源の電圧を降下して前記コンデンサへ電荷を供給する降圧手段とを備えたものとした。
【０００９】
かかる構成においては、主電源の電圧よりも耐圧が低いコンデンサの使用が可能となり、単一のコンデンサにより供給電力を補償（バックアップ）することができる。
【００１０】
また、請求項２の発明にあっては、瞬断時に前記降圧手段を介することなく前記コンデンサから前記回路へ電力を供給する補償用の電力供給ラインが設けられたものとした。
【００１１】
また、請求項３の発明にあっては、電子機器における電力供給ラインが、機器全体の動作に不可欠な要素を含む主回路へ電力を供給する第１の供給ラインと、前記主回路以外への他の回路へ電力を供給する第２の供給ラインとに分離され、前記コンデンサ及び前記降圧手段が前記第１の供給ラインの側に配置されるとともに、第１の供給ラインから第２の供給ラインへの電流の逆流を阻止する逆流阻止手段が設けられたものとした。
【００１２】
かかる構成においては、電力供給不良が発生したとき、コンデンサから主回路のみに補償用の電力が供給されるため、容量のより小さなコンデンサが使用できるとともに、同一容量のコンデンサを使用した場合であってもバックアップ時間の長期化を図ることができる。
【００１３】
また、請求項４の発明にあっては、前記主電源の瞬断発生を電気的に検出する検出手段と、この検出手段により瞬断発生が検出されることに伴い、電子機器に前記主電源の瞬断発生に対処する所定の終了処理を制御する制御手段とを備えたものとした。
【００１４】
かかる構成においては、主電源の瞬断が発生すると、それに対処する所定の終了処理が自動的に行われる。
【００１５】
よって、より安全に動作を終了させることができる。また、コンデンサに確保する容量を必要最低限とすることができ、それによってもデジタルカメラの設計上やデザイン上の自由度を一層拡げることができる。
【００１６】
また、請求項５の発明にあっては、前記主電源の瞬断発生を電気的に検出する検出手段と、前記コンデンサから前記回路への電力供給経路を遮断するとともに、前記検出手段により瞬断発生が検出されることに伴い、前記電力供給経路を接続するスイッチ手段とを備えたものとした。
【００１７】
かかる構成においては、負荷の一時的な増大により主電源の電圧が降下した以外の、実際に主電源の瞬断が発生した場合にのみコンデンサから回路への電力供給が行われる。
【００１８】
よって、瞬断発生以前における主電源の電圧変動に影響されることなく、コンデンサによるバックアップ時間を一定とすることが可能となる。
【００１９】
また、請求項６の発明にあっては、前記検出手段により瞬断発生が検出されることに伴い、電子機器に前記主電源の瞬断発生に対処する所定の終了動作を行わせる制御手段を備えたものとした。
【００２０】
かかる構成においては、主電源の瞬断が発生すると、それに対処する所定の終了処理が自動的に行われ、かつ負荷の一時的な増大により主電源の電圧が降下した以外の、実際に主電源の瞬断が発生した場合にのみコンデンサから回路への電力供給が行われる。
【００２１】
また、請求項７の発明にあっては、前記コンデンサは、電子機器が有する時計回路の電池交換時のバックアップ電源を構成するものとした。
【００２２】
かかる構成においては、電池交換時に時計回路の動作を維持させるための専用のコンデンサが不要となる。
【００２３】
また、請求項８の発明にあっては、前記コンデンサから前記回路への電力供給時間を所定時間に制限する制限手段を備えたものとした。
【００２４】
かかる構成においては、瞬断が発生したから所定時間が経過した後には、コンデンサから時計回路のみに電力が供給される。
【００２５】
また、請求項９の発明にあっては、電池からなる主電源と、被写体を撮像する撮像手段と、この撮像手段により撮像された被写体像の画像データを記録する記録手段と、前記主電源と並列に接続されるとともに、主電源の瞬断時における電力供給を行い前記記録手段へのデータの書込み動作を補償するバックアップ用のコンデンサと、前記主電源の電圧を降下して前記コンデンサへ電荷を供給する降圧手段とを備えた電子カメラ装置とした。
【００２６】
かかる構成においては、主電源の瞬断発生時に電力供給を行い記録手段へのデータ書込み動作を補償するバックアップ用のコンデンサとして、主電源の電圧よりも耐圧が低いコンデンサの使用が可能となり、単一のコンデンサにより供給電力を補償（バックアップ）することができる。
【発明の効果】
【００２７】
以上のように請求項１及び請求項２の発明においては、主電源の電圧よりも耐圧が低いコンデンサの使用が可能となり、単一のコンデンサにより供給電力を補償することができるようにした。よって、電子機器内部の省スペース化を図ることにより、その設計上やデザイン上の自由度を拡げることが可能となる。
【００２８】
また、請求項３の発明においては、容量のより小さなコンデンサを使用できるようにしたことから、電子機器の設計上やデザイン上の自由度をより一層拡げることが可能となる。また、同一容量のコンデンサを使用した場合にバックアップ時間の長期化を図ることができるようにしたことから、主電源の瞬断発生時に、より多くの終了動作をより安全に行わせることが可能となる。
【００２９】
また、請求項４の発明においては、主電源の瞬断が発生すると、それに対処する所定の終了処理が自動的に行われるようにした。よって、より安全に動作を終了させることができる。また、コンデンサに確保する容量を必要最低限とすることができ、それによってもデジタルカメラの設計上やデザイン上の自由度を一層拡げることが可能となる。
【００３０】
また、請求項５の発明においては、負荷の一時的な増大により主電源の電圧が降下した以外の、実際に主電源の瞬断が発生した場合にのみコンデンサから回路への電力供給が行われるようにした。よって、瞬断発生以前における主電源の電圧変動に影響されることなく、コンデンサによるバックアップ時間を一定とすることが可能となる。
【００３１】
また、請求項６の発明においては、主電源の瞬断が発生すると、それに対処する所定の終了処理が自動的に行われ、かつ負荷の一時的な増大により主電源の電圧が降下した以外の、実際に主電源の瞬断が発生した場合にのみコンデンサから回路への電力供給が行われるようにした。よって、より安全に動作を終了させることができる。また、コンデンサに確保する容量を必要最低限とすることができ、それによってもデジタルカメラの設計上やデザイン上の自由度を一層拡げることが可能となる。また、瞬断発生以前における主電源の電圧変動に影響されることなく、コンデンサによるバックアップ時間を一定とすることが可能となる。
【００３２】
また、請求項７の発明においては、電池交換時に時計回路の動作を維持させるための専用のコンデンサが不要となるようにした。よって、電子機器のコスト及び部品点数の削減が可能となる。また、時計回路のバックアップ時間を長期化することができる。
【００３３】
また、請求項８の発明においては、瞬断が発生したから所定時間が経過した後には、コンデンサから時計回路のみに電力が供給されるようにした。よって、瞬断が発生した場合における時計回路のバックアップ時間を長期化することができる。
【００３４】
また、請求項９の発明においては、主電源の瞬断発生時に電力供給を行い記録手段へのデータ書込み動作を補償するバックアップ用のコンデンサとして、主電源の電圧よりも耐圧が低いコンデンサの使用が可能となり、単一のコンデンサにより供給電力を補償することができるようにした。よって、電子カメラ装置内部の省スペース化を図ることにより、その設計上やデザイン上の自由度を拡げることが可能となる。
【発明を実施するための最良の形態】
【００３５】
以下、本発明の一実施の形態を図にしたがって説明する。
（実施形態１）
本実施の形態は、本発明に係る電源瞬断保護装置を含むデジタルカメラに関するものである。本実施の形態のデジタルカメラは、図示しないが、ＣＣＤ等の撮像素子により撮像した被写体の画像をデジタルデータに変換し、それを任意の記録手段（各種のメモリ）に記録する構成であって、撮影待機時のスルー画像や記録画像を表示する液晶モニタを有するとともに、ＡＥやＡＦ等の基本的な機能を備えた一般的なものである。
【００３６】
図１は、上記デジタルカメラの電源部を示すブロック図であり、電源部は、直列に挿入された２本の電池から構成された主電源１と、システム系の電源回路（以下、システム系電源という。）２と、駆動系の電源回路（以下、駆動系電源という。）３と、瞬断保護回路４とから構成されている。主電源１の電圧は３Ｖであり、使用時に許容される電圧の変動範囲は約２．１Ｖ〜３．０Ｖである。
【００３７】
システム系電源２は、昇圧用の第１及び第２のＤＣ／ＤＣコンバータ２１，２２と、第１のＬＤＯ（低飽和型シリーズレギュレータ）２３、降圧用の第３のＤＣ／ＤＣコンバータ２４によって構成され、図外のシステム系の各部であって、より具体的にはデジタルカメラ全体を制御するＣＰＵ等からなるメイン・マイコン、及びキー入力の有無の監視等を行うサブ・マイコン、それらの制御に必要なプログラムや各種データを記憶するフラッシュＲＯＭ、ＩＣからなる時計回路（図４参照）に、変圧後の電力をそれぞれ供給する。
【００３８】
駆動系電源３は、昇圧及び極性反転用の第４のＤＣ／ＤＣコンバータ３１と、昇圧用の第５及び第６のＤＣ／ＤＣコンバータ３２，３３よって構成され、システム系電源２から電力供給を受けない液晶モニタや、撮像素子、光学系の駆動モータを含む各部に供給する。
【００３９】
瞬断保護回路４は本発明における電源瞬断保護装置を構成する部分であって、主としてデジタルカメラの動作途中に電池ボックスの蓋が開けられることに起因した主電源１の瞬断時にシステムを保護するための回路であり、主電源１に並列接続されたバックアップコンデンサ４１と、入力側ダイオード４２、出力側ダイオード４３、第２のＬＤＯ４４、ＬＯＤ入力コンデンサ４５、ＩＲパス抵抗４６から構成されている。前記バックアップコンデンサ４１の耐圧（定格電圧）は２．５Ｖであり、前記第２のＬＤＯ４４の設定出力電圧は２．４Ｖである。
【００４０】
瞬断保護回路４においては、デジタルカメラに主電源１である電池が挿入されると、入力側ダイオード４２を介して第２のＬＤＯ４４に入力した電流Ｉ２により、バックアップコンデンサ４１が第２のＬＤＯ４４に設定されている電圧（２．４Ｖ）まで充電される。また、電池電圧が第２のＬＤＯ４４の出力設定電圧（２．４Ｖ）以下になると、電池電圧から、入力側ダイオード４２の順方向電圧ＶＦ及び第２のＬＤＯ４４の内部損失電圧分が降下した電圧でバックアップコンデンサ４１が充電される。
【００４１】
そして、デジタルカメラが起動状態で瞬断が発生した場合には、主電源１からの電流Ｉ１が遮断されることに伴い、出力側ダイオード４３の出力側（図でＡ部）の電圧が、出力側ダイオード４３とバックアップコンデンサ４１との間の電圧（図でＢ部）から順方向電圧ＶＦを引いた電圧（Ｂ部電圧−ＶＦ）を下回ると、出力側ダイオード４３が開放スイッチとして働くことによりバックアップコンデンサ４１に蓄えられている電荷が、第２のＬＤＯ４４を介すことなく出力側ダイオード４３を通る補償用の電力供給ラインを介して電流Ｉ３として後段の電源回路（システム系電源２及び駆動系電源３）に供給される。つまり電力の供給不良がバックアップ（補償）される。
【００４２】
すなわち図２は、瞬断発生時におけるシステム系電源２の出力電圧（ここでは、メイン・マイコンに供給される図１でＶＣＣ３−１）の変化であって、瞬断保護回路４によるバックアップが有る場合と無い場合とを示した図である。本実施の形態においては、前記バックアップコンデンサ４１として、図示したように、瞬断発生後の所定時間にシステム系電源２の出力電圧をメイン・マイコンの許容動作下限電圧（３Ｖ）以上に維持できる容量を備えたものが使用されており、そして前記所定時間が、前述したメイン・マイコンが瞬断発生の直前に開始したファイル書込動作を正常に完了可能な時間に設定されている。これにより瞬断が発生した場合であっても、再起動不可という致命的な状況が回避可能となっている。
【００４３】
ここで、瞬断保護回路４においては、バックアップコンデンサ４１の充電を、電池電圧（主電源１の電圧）をいったん第２のＬＤＯ４４により２．４Ｖまで降圧した後、バックアップコンデンサ４１へ印加することにより行う構成となっている。このため、前述したようにバックアップコンデンサ４１として電池電圧（約３．０Ｖ）よりも低い耐圧（２．５Ｖ）のものが使用可能であり、かつバックアップコンデンサ４１として前述した所定の容量を備えたものを使用することにより、単一のバックアップコンデンサ４１によるバックアップが可能となっている。また、第２のＬＤＯ４４は、バックアップコンデンサ４１に比べると、ディバイスとして遙かに小型化のものを使用することができる。
【００４４】
したがって、バックアップコンデンサ４１を２個直列に接続して使用する場合に比べ、デジタルカメラの本体内に余分な配置スペース（高さ、面積）を確保する必要がなく、設計上やデザイン上の自由度を拡げることができる。
【００４５】
なお、本実施の形態においては、主電源１と第２のＬＤＯ４４との間に入力側ダイオード４２が設けられているため、デジタルカメラが起動状態で、例えばズーム動作やＡＦ動作に際して光学系の駆動モータが駆動されたときのように瞬間的に負荷が増大したときであっても、第２のＬＤＯ４４を流れる電流の値を抑えることができる。
【００４６】
（実施形態２）
図３は、第２の実施の形態に係るデジタルカメラの電源部を示すブロック図である。以下、図１に示した第１の実施の形態との違いを説明する。
【００４７】
本実施の形態においては、主電源１による電力供給ラインが、システム系電源２を接続する第１の供給ライン５ａと駆動系電源３を接続する第２の供給ライン５ｂとに分離されている。そして、第１の供給ライン５ａには、第１の実施の形態で説明した瞬断保護回路４に、第１の供給ライン５ａから第２の供給ライン５ｂへの電流の流れを阻止する逆流阻止ダイオード４７（本発明の逆流阻止手段）が付加された構成の瞬断保護回路４０１が配置されている。なお、これ以外の構成については第１の実施の形態と同一であるため、同一の符号を付すことにより説明を省略する。
【００４８】
かかる構成においては、電池が挿入されると、第１の実施の形態と同様に、入力側ダイオード４２及び第２のＬＤＯ４４を介して、電流Ｉ２により、バックアップコンデンサ４１が定格電圧以内で充電される。また、デジタルカメラが起動状態にあるとき（定常動作時）には、逆流阻止ダイオード４７を介してシステム系電源２に電流供給が行われ、駆動系電源３には主電源１から直接電流供給が行われる。
【００４９】
そして、デジタルカメラが起動状態で瞬断が発生した場合には、主電源１からの電流Ｉ１が遮断されることに伴い、出力側ダイオード４３の出力側（図でＡ部）の電圧が、出力側ダイオード４３とバックアップコンデンサ４１との間の電圧（図でＢ部）から順方向電圧ＶＦを引いた電圧（Ｂ部電圧−ＶＦ）を下回ると、出力側ダイオード４３が開放スイッチとして働くことによりバックアップコンデンサ４１から電流Ｉ３が流れ出すが、その際には、逆流阻止ダイオード４７によって逆電流Ｉ４が阻止されることにより、電流Ｉ３が後段のシステム系電源２のみに供給される。
【００５０】
つまり第１の実施の形態と異なり、瞬断発生時におけるバックアップ対象がシステム系電源２のみとなっている。したがって、バックアップ時間を延ばすことができるため、バックアップコンデンサ４１の容量を小さくすることができ、バックアップコンデンサ４１としてより小型の汎用的なものを使用することができ、その結果、デジタルカメラの設計上やデザイン上の自由度を一層拡げることができる。
【００５１】
また、バックアップ時間を延ばすことができるため、バックアップコンデンサ４１の容量を大きくしなくとも、重要なファイル書込動作をより確実に完了させることができ、より安全なシステムバックアップが可能となる。同時に、システム関連のバックアップ動作をより多く行うことができる。
【００５２】
（実施形態３）
図４は、第３の実施の形態に係るデジタルカメラの要部を示すブロック図である。本実施の形態は、第２の実施の形態で説明した構成に、主電源１の瞬断が発生したことを検出し、それをメイン・マイコン７へ伝える瞬断検出回路６が付加された構成である。
【００５３】
図示したように瞬断検出回路６は本発明の検出手段であって、入力抵抗６１と入力コンデンサ６２、及び電圧検出器６３から構成され、瞬断の発生に伴い電圧検出器６３に印加される電圧が、電源回路全体の動作下限である所定の設定電圧を下回る電圧となると、その検出信号をメイン・マイコン７に出力する。
【００５４】
メイン・マイコン７は、前述したようにデジタルカメラ全体を制御するＣＰＵ等からなり、前述したシステム系電源２からの供給電力により動作しデジタルカメラ全体を制御する。なお、メイン・マイコン７にはサブ・マイコン８及びフラッシュＲＯＭ９が接続され、サブ・マイコン８にはＩＣからなる時計回路であるＲＴＣ（リアルタイムクロック）１０が接続されている。また、ＲＴＣ１０には、ダイオード１１と抵抗１２とＲＴＣ用バックアップコンデンサ１３とからなるバックアップ回路１４が付随して設けられており、電池交換時における動作維持が可能となっている。
【００５５】
そして、メイン・マイコン７は、瞬断検出回路６（電圧検出器６３）から前記検出信号が入力したことに伴い、本発明の制御手段として機能し、その時点で行っていたフラッシュＲＯＭ９へのファイルの書き込みを中止する等の所定の終了処理を実施するよう構成されている。つまり本実施の形態においては瞬断保護回路４０１と瞬断検出回路６とメイン・マイコン７とによって本発明の電源瞬断保護装置が構成されている。なお、これ以外の構成については第２の実施の形態と同一であるため、同一の符号を付すことにより説明を省略する。
【００５６】
本実施の形態においては、第２の実施の形態と同様に、瞬断保護回路４０１を備えているため、瞬断発生時にシステム系電源２のみをバックアップすることにより、デジタルカメラの設計上やデザイン上の自由度を一層拡げることができるとともに、より安全なシステムバックアップが可能となり、同時に、システム関連のバックアップ動作をより多く行うことができる。
【００５７】
さらに、瞬断が発生したことを検出して、メイン・マイコン７に所定の終了処理を実施させるため、ファイル破壊等を確実に回避することができ、安全なシステムバックアップが可能となる。その結果、瞬断保護回路４０１のバックアップコンデンサ４１に確保する容量を必要最低限とすることができ、それによってもデジタルカメラの設計上やデザイン上の自由度を一層拡げることができる。また、バックアップ動作時間内（瞬断発生後にシステム系電源２の出力電圧をメイン・マイコンの許容動作下限電圧（３Ｖ）以上に維持可能な時間内）に、その時間に応じたより適切な任意の処理、例えばより多くのファイルの書込み動作を行わせたりすることができる。
【００５８】
（実施形態４）
図５は、第４の実施の形態に係るデジタルカメラの要部を示すブロック図である。本実施の形態は、第３の実施の形態で説明した構成を基本とするものであって、以下の構成を備えている。
【００５９】
すなわち本実施の形態では、前述した出力側ダイオード４３が、本発明のスイッチ手段である抵抗値が小さな半導体スイッチ４８に置き換えられた瞬断保護回路４０２を備え、前記半導体スイッチ４８が、前述した瞬断検出回路６の電圧検出器６３から出力される検出信号によってオン状態になることによって、バックアップコンデンサ４１からシステム系電源２への電力供給が開始される構成である。なお、これ以外の構成については第３の実施の形態と同一であるため、同一の符号を付すことにより説明を省略する。
【００６０】
本実施の形態においては、バックアップコンデンサ４１を、実際に瞬断が発生した場合にのみ放電させることができる。例えば負荷の増大に伴う主電源１が一時的に降下（変動）することによりバックアップコンデンサ４１が放電される事態をなくすことができる。したがって、第３の実施の形態における前述した効果に加え、瞬断発生以前における主電源１の電圧変動に影響されることなくバックアップコンデンサ４１によるバックアップ時間を一定とすることができるという効果が得られる。なお、係る効果については、本実施の形態とは異なり、瞬断の発生が検出されたとき、メイン・マイコン７に所定の終了処理を実施させることなく、バックアップコンデンサ４１の放電のみを開始させる構成としても得ることができる。
【００６１】
（実施形態５）
図６は、第５の実施の形態に係るデジタルカメラの要部を示すブロック図である。本実施の形態は第３の実施の形態で説明した構成を基本とするものであって、以下の構成を備えている。
【００６２】
すなわち本実施の形態においては、図４に示したＲＴＣ１０に付随するバックアップ回路１４が廃止されるとともに、前記瞬断保護回路４０１のバックアップコンデンサ４１から電流Ｉ５が常に供給されることにより、電池交換時におけるＲＴＣ１０の動作が維持される構成である。なお、これ以外の構成については第３の実施の形態と同一であるため、同一の符号を付すことにより説明を省略する。
【００６３】
本実施の形態によれば、ＲＴＣ１０に付随するバックアップ回路１４、すなわちダイオード１１、抵抗１２、ＲＴＣ用バックアップコンデンサ１３といった付帯素子を廃止することにより、第３の実施の形態における前述した効果に加え、コスト及び部品点数の削減が可能となるという効果が得られる。しかも、ＲＴＣ１０のバックアップ時間を長期化することができる。なお、係る効果については、前述した第１及び第２の実施の形態のように、瞬断の発生が検出されたとき、メイン・マイコン７に所定の終了処理を実施させることなく、バックアップコンデンサ４１の放電のみを開始させる構成であっても得ることができる。
【００６４】
（実施形態６）
図７は、第６の実施の形態に係るデジタルカメラの電源部を示すブロック図である。本実施の形態は、第５の実施の形態で説明した構成を基本とするものであって、以下の構成を備えている。
【００６５】
すなわち本実施の形態においては、システム系電源２の直前で電流の流れを断続するＦＥＴからなる第１のスイッチ５１と、第１のスイッチ５１と主電源１との間に設けられ、第１のスイッチ５１の導電状態をオンオフするトランジスタからなる第２のスイッチ５２と、第２のスイッチ５２のオン状態からオフ状態への導電状態の変化を遅延させる遅延コンデンサ５３とが設けられている。
【００６６】
本実施の形態においては、上記第１及び第２のスイッチ５１，５２と遅延コンデンサ５３とによって本発明の制限手段が実現されている。そして、主電源１である電池が挿入されているときには、第１及び第２のスイッチ５１，５２がオン状態となり、主電源１からの電流Ｉ１が逆流阻止ダイオード４７と第１のスイッチ５１を介してシステム系電源２に供給され、瞬断が発生した直後は、遅延コンデンサ５３に蓄えられた電荷よって第２のスイッチ５２がオン状態を保持され、かつ第１のスイッチ５１がオン状態を保持される一方、必要なバックアップ時間が経過して遅延コンデンサ５３の放電が終了した時点で、第２のスイッチ５２がオフ状態となることにより第１のスイッチ５１がオフ状態となり、システム系電源２への電流Ｉ３の流れが遮断される。
【００６７】
したがって、本実施の形態によれば、瞬断が発生したとき、瞬断保護回路４０１によるシステム系電源２のバックアップ動作が終了した後には、バックアップコンデンサ４１に残存する電荷を電流Ｉ５としてのみＲＴＣ１０へ送ることができるため、第５の実施の形態に示したものに比べ、瞬断が発生した場合におけるＲＴＣ１０のバックアップ時間を長期化することができる。
【００６８】
なお、以上説明した第１〜第６の実施の形態は、例えば動作途中にアダプターが抜かれたり、電池ボックスの蓋が開けられたり、末期電池使用時の終止電圧付近で重負荷がかかったり等のいかなる原因による瞬断が発生した場合であっても、それらの全ての場合において有効である。また、電池ボックスの蓋が開けられたことを検出する機械的な開閉検出スイッチが不要なことから、コストダウンやデジタルカメラ本体の機構を簡略化することができる。
【００６９】
また、第１〜第６の実施の形態では、本発明を一般的な構成及び機能を備えたデジタルカメラに適用した場合を示したが、本発明は電池等の主電源を有するものであればデジタルカメラ以外の他の電子機器にも適用可能である。
【図面の簡単な説明】
【００７０】
【図１】本発明の第１の実施の形態におけるデジタルカメラの電源部を示すブロック図である。
【図２】瞬断発生時におけるシステム系電源の所定の出力電圧の変化を示す特性図である。
【図３】本発明の第２の実施の形態におけるデジタルカメラの電源部を示すブロック図である。
【図４】本発明の第３の実施の形態におけるデジタルカメラの要部を示すブロック図である。
【図５】本発明の第４の実施の形態におけるデジタルカメラの要部を示すブロック図である。
【図６】本発明の第５の実施の形態におけるデジタルカメラの要部を示すブロック図である。
【図７】本発明の第６の実施の形態におけるデジタルカメラの電源部を示すブロック図である。
【符号の説明】
【００７１】
１    主電源
２    システム系電源
３    駆動系電源
４    瞬断保護回路
５ａ    第１の供給ライン
５ｂ    第２の供給ライン
６    瞬断検出回路
７    メイン・マイコン
８    サブ・マイコン
９    フラッシュＲＯＭ
１０    ＲＴＣ
１１    ＲＴＣ用バックアップコンデンサ
４１    バックアップコンデンサ
４２    入力側ダイオード
４３    出力側ダイオード
４４    第２のＬＤＯ
４６    ＩＲパス抵抗
４７    逆流阻止ダイオード
５１    第１のスイッチ
５２    第２のスイッチ
５３    遅延コンデンサ
６１    入力抵抗
６２    入力コンデンサ
６３    電圧検出器
４０１    瞬断保護回路
４０２    瞬断保護回路
【図１】
2005185073.tif 000003
【図２】
2005185073.tif 000004
【図３】
2005185073.tif 000005
【図４】
2005185073.tif 000006
【図５】
2005185073.tif 000007
【図６】
2005185073.tif 000008
【図７】
2005185073.tif 000009